(57)【特許請求の範囲】
【請求項１】
複数の携帯端末と、サーバと、を有してなるビューイングシステムであって、
前記複数の携帯端末の各々は、
グループに属する携帯端末の識別情報を含むグループ作成要求を前記サーバに送信し、その応答として前記サーバからグループＩＤおよびパスワードを取得し、取得したグループＩＤおよびパスワードを、自端末と同じグループに属する他の携帯端末に送信するか、または、自端末と同じグループに属する他の携帯端末からグループＩＤおよびパスワードを取得し、番組視聴時には、自端末の識別情報、グループＩＤおよびパスワードを含むグループ視聴要求を前記サーバに送信するグループ処理部と、
表示部と、
ワンセグ放送の番組を受信する番組受信部と、
前記番組受信部で受信された番組を前記表示部の表示画面に表示する表示制御部と、
前記グループ視聴要求の送信後に自端末が前記サーバに接続されると、前記表示画面への番組の表示中における自端末周辺の話者の音声を集音するマイクと、
前記グループ視聴要求の送信後に自端末が前記サーバに接続されると、前記マイクで集音された話者の音声を文字データに変換する音声認識部と、
前記グループ視聴要求の送信後に自端末が前記サーバに接続されると、前記音声認識部で変換された文字データを前記サーバに送信するとともに、自端末と同じグループに属する他の携帯端末から前記サーバに送信された文字データを、前記サーバから受信する文字データ送受信部と、を有し、
前記表示制御部は、
前記表示画面への番組の表示中に、該表示画面に、前記サーバから受信した文字データを併せて表示し、
前記サーバは、
前記携帯端末から前記グループ作成要求を受信すると、該グループ作成要求に識別情報が含まれる携帯端末が属するグループを作成し、作成したグループのグループＩＤおよびパスワードを、該グループ作成要求の送信元の携帯端末に送信し、該グループに属する携帯端末の識別情報、グループＩＤおよびパスワードを登録し、前記携帯端末から前記グループ視聴要求を受信すると、該グループ視聴要求に含まれる識別情報を事前に登録したものと照合して該グループ視聴要求の送信元の携帯端末が属するグループを判定し、該グループ視聴要求に含まれるグループＩＤおよびパスワードを事前に登録したものと照合して該グループ視聴要求の送信元の携帯端末のアクセス権の有無を判定し、アクセス権があれば該グループ視聴要求の送信元の携帯端末を自サーバと接続するグループ管理部と、
自サーバと接続中の携帯端末から文字データを受信すると、該文字データを、該携帯端末と同じグループに属しかつ自サーバと接続中の他の携帯端末に配信する文字データ配信部と、を有する、ビューイングシステム。
【請求項２】
前記複数の携帯端末の各々は、
前記表示画面の画面データを外部装置に外部出力する外部出力部をさらに有する、請求項１に記載のビューイングシステム。
【請求項３】
前記複数の携帯端末と、前記サーバと、は、携帯用通信網を介して接続されている、請求項１または２に記載のビューイングシステム。
【請求項４】
携帯端末であって、
グループに属する携帯端末の識別情報を含むグループ作成要求をサーバに送信し、その応答として前記サーバからグループＩＤおよびパスワードを取得し、取得したグループＩＤおよびパスワードを、自端末と同じグループに属する他の携帯端末に送信するか、または、自端末と同じグループに属する他の携帯端末からグループＩＤおよびパスワードを取得し、番組視聴時には、自端末の識別情報、グループＩＤおよびパスワードを含むグループ視聴要求を前記サーバに送信するグループ処理部と、
表示部と、
ワンセグ放送の番組を受信する番組受信部と、
前記番組受信部で受信された番組を前記表示部の表示画面に表示する表示制御部と、
前記グループ視聴要求の送信後に自端末が前記サーバに接続されると、前記表示画面への番組の表示中における自端末周辺の話者の音声を集音するマイクと、
前記グループ視聴要求の送信後に自端末が前記サーバに接続されると、前記マイクで集音された話者の音声を文字データに変換する音声認識部と、
前記グループ視聴要求の送信後に自端末が前記サーバに接続されると、前記音声認識部で変換された文字データを前記サーバに送信するとともに、自端末と同じグループに属する他の携帯端末から前記サーバに送信された文字データを、前記サーバから受信する文字データ送受信部と、を有し、
前記表示制御部は、
前記表示画面への番組の表示中に、該表示画面に、前記サーバから受信した文字データを併せて表示する、携帯端末。
【請求項５】
サーバであって、
複数の携帯端末のいずれかから、グループに属する携帯端末の識別情報を含むグループ作成要求を受信すると、該グループ作成要求に識別情報が含まれる携帯端末が属するグループを作成し、作成したグループのグループＩＤおよびパスワードを、該グループ作成要求の送信元の携帯端末に送信し、該グループに属する携帯端末の識別情報、グループＩＤおよびパスワードを登録し、前記複数の携帯端末のいずれかから、該携帯端末の識別情報、グループＩＤおよびパスワードを含むグループ視聴要求を受信すると、該グループ視聴要求に含まれる識別情報を事前に登録したものと照合して該グループ視聴要求の送信元の携帯端末が属するグループを判定し、該グループ視聴要求に含まれるグループＩＤおよびパスワードを事前に登録したものと照合して該グループ視聴要求の送信元の携帯端末のアクセス権の有無を判定し、アクセス権があれば該グループ視聴要求の送信元の携帯端末を自サーバと接続するグループ管理部と、
自サーバと接続中の携帯端末から、該携帯端末の表示画面へのワンセグ放送の番組の表示中における該携帯端末周辺の話者の音声を変換した文字データを受信すると、該文字データを、該携帯端末と同じグループに属しかつ自サーバと接続中の他の携帯端末に配信する文字データ配信部と、を有する、サーバ。
【請求項６】
携帯端末が行うビューイング方法であって、
グループに属する携帯端末の識別情報を含むグループ作成要求をサーバに送信し、その応答として前記サーバからグループＩＤおよびパスワードを取得し、取得したグループＩＤおよびパスワードを、自端末と同じグループに属する他の携帯端末に送信するステップ、または、自端末と同じグループに属する他の携帯端末からグループＩＤおよびパスワードを取得するステップと、
自端末の識別情報、グループＩＤおよびパスワードを含むグループ視聴要求を前記サーバに送信するステップと、
ワンセグ放送の番組を受信するステップと、
前記受信された番組を表示部の表示画面に表示するステップと、
前記グループ視聴要求の送信後に自端末が前記サーバに接続されると、前記表示画面への番組の表示中における自端末周辺の話者の音声を集音するステップと、
前記グループ視聴要求の送信後に自端末が前記サーバに接続されると、前記集音された話者の音声を文字データに変換するステップと、
前記グループ視聴要求の送信後に自端末が前記サーバに接続されると、前記変換された文字データを前記サーバに送信するとともに、自端末と同じグループに属する他の携帯端末から前記サーバに送信された文字データを、前記サーバから受信するステップと、
前記表示画面への番組の表示中に、該表示画面に、前記サーバから受信した文字データを併せて表示するステップと、を有するビューイング方法。
【請求項７】
サーバが行うビューイング方法であって、
複数の携帯端末のいずれかから、グループに属する携帯端末の識別情報を含むグループ作成要求を受信すると、該グループ作成要求に識別情報が含まれる携帯端末が属するグループを作成し、作成したグループのグループＩＤおよびパスワードを、該グループ作成要求の送信元の携帯端末に送信し、該グループに属する携帯端末の識別情報、グループＩＤおよびパスワードを登録するステップと、
前記複数の携帯端末のいずれかから、該携帯端末の識別情報、グループＩＤおよびパスワードを含むグループ視聴要求を受信すると、該グループ視聴要求に含まれる識別情報を事前に登録したものと照合して該グループ視聴要求の送信元の携帯端末が属するグループを判定し、該グループ視聴要求に含まれるグループＩＤおよびパスワードを事前に登録したものと照合して該グループ視聴要求の送信元の携帯端末のアクセス権の有無を判定し、アクセス権があれば該グループ視聴要求の送信元の携帯端末を自サーバと接続するステップと、
自サーバと接続中の携帯端末から、該携帯端末の表示画面へのワンセグ放送の番組の表示中における該携帯端末周辺の話者の音声を変換した文字データを受信すると、該文字データを、該携帯端末と同じグループに属しかつ自サーバと接続中の他の携帯端末に配信するステップと、を有する、ビューイング方法。
【発明の詳細な説明】
【技術分野】
【０００１】
本発明は、ワンセグ放送の番組を視聴するためのビューイングシステム、携帯端末、サーバ、ビューイング方法に関する。
【背景技術】
【０００２】
現在市販されている携帯端末においては、ワンセグ放送の番組を視聴可能なワンセグ機能を備える携帯端末がほとんどを占めている。
【０００３】
しかしながら、現在の携帯端末のワンセグ機能は、ユーザが１人で視聴するのが主であることから、複数人が一緒に視聴するのに適した機能ではない。
【０００４】
昨今、サッカーのワールドカップで世界中が盛り上がり、仕事中などに携帯端末でワンセグ放送にて番組を視聴した人も少なくはないと考えられる。
【０００５】
また、スポーツ観戦などはパブリックビューイングなどで大勢で観戦したいユーザの中には、１人で観戦したくはなく、大勢で観戦して感動を共有したいユーザも多い。
【０００６】
そこで、どうしても用事などがあり、携帯端末で番組を視聴せざる得ないユーザが、他ユーザと番組の内容について簡易的（擬似的）に共感することができるようにした技術も幾つか提案されている。
【０００７】
例えば、特許文献１には、携帯端末において、視聴中の番組の表示画面に、ユーザ間でやり取りしているチャットメッセージを併せて表示する技術が開示されている。
【先行技術文献】
【特許文献】
【０００８】
【特許文献１】特開２００６−１２９１９６号公報
【発明の概要】
【発明が解決しようとする課題】
【０００９】
しかしながら、特許文献１に記載の携帯端末においては、ユーザは、チャットメッセージを文字入力する必要があるという課題がある。
【００１０】
そこで、本発明の目的は、ユーザが文字入力をすることなく、他ユーザと番組の内容について簡易的（擬似的）に共感することができるビューイングシステム、携帯端末、サーバ、ビューイング方法を提供することにある。
【課題を解決するための手段】
【００１１】
本発明のビューイングシステムは、
複数の携帯端末と、サーバと、を有してなるビューイングシステムであって、
前記複数の携帯端末の各々は、
表示部と、
ワンセグ放送の番組を受信する番組受信部と、
前記番組受信部で受信された番組を前記表示部の表示画面に表示する表示制御部と、
前記表示画面への番組の表示中における自端末周辺の話者の音声を集音するマイクと、
前記マイクで集音された話者の音声を文字データに変換する音声認識部と、
前記音声認識部で変換された文字データを前記サーバに送信するとともに、他の携帯端末から前記サーバに送信された文字データを、前記サーバから受信する文字データ送受信部と、を有し、
前記表示制御部は、
前記表示画面への番組の表示中に、該表示画面に、前記サーバから受信した文字データを併せて表示する。
【００１２】
本発明の携帯端末は、
表示部と、
ワンセグ放送の番組を受信する番組受信部と、
前記番組受信部で受信された番組を前記表示部の表示画面に表示する表示制御部と、
前記表示画面への番組の表示中における自端末周辺の話者の音声を集音するマイクと、
前記マイクで集音された話者の音声を文字データに変換する音声認識部と、
前記音声認識部で変換された文字データをサーバに送信するとともに、他の携帯端末から前記サーバに送信された文字データを、前記サーバから受信する文字データ送受信部と、を有し、
前記表示制御部は、
前記表示画面への番組の表示中に、該表示画面に、前記サーバから受信した文字データを併せて表示する。
【００１３】
本発明のサーバは、
グループごとに、該グループに属する携帯端末を管理するグループ管理部と、
前記携帯端末から、該携帯端末の表示画面へのワンセグ放送の番組の表示中における該携帯端末周辺の話者の音声を変換した文字データを受信すると、該文字データを、該携帯端末と同じグループに属する他の携帯端末に配信する文字データ配信部と、を有する。
【００１４】
本発明の第１のビューイング方法は、
携帯端末が行うビューイング方法であって、
ワンセグ放送の番組を受信するステップと、
前記受信された番組を表示部の表示画面に表示するステップと、
前記表示画面への番組の表示中における自端末周辺の話者の音声を集音するステップと、
前記マイクで集音された話者の音声を文字データに変換するステップと、
前記変換された文字データをサーバに送信するとともに、他の携帯端末から前記サーバに送信された文字データを、前記サーバから受信するステップと、
前記表示画面への番組の表示中に、該表示画面に、前記サーバから受信した文字データを併せて表示するステップと、を有する。
【００１５】
本発明の第２のビューイング方法は、
サーバが行うビューイング方法であって、
グループごとに、該グループに属する携帯端末を管理するステップと、
前記携帯端末から、該携帯端末の表示画面へのワンセグ放送の番組の表示中における該携帯端末周辺の話者の音声を変換した文字データを受信すると、該文字データを、該携帯端末と同じグループに属する他の携帯端末に配信するステップと、を有する。
【発明の効果】
【００１６】
本発明の携帯端末は、ワンセグ放送の番組を視聴中に、マイクで集音した話者の音声を文字データに変換してサーバに送信し、これと同時に、サーバからは、他の携帯端末がサーバに送信した文字データを受信し、番組を表示中の表示画面に、受信した文字データを併せて表示する。
【００１７】
したがって、携帯端末のユーザは、文字入力をすることなく、他ユーザとワンセグ放送の番組の内容について簡易的（擬似的）に共感することができるという効果が得られる。
【図面の簡単な説明】
【００１８】
【図１】本発明の一実施形態のビューイングシステムの構成を示す図である。
【図２】図１に示した携帯端末の構成を示すブロック図である。
【図３】図１に示したアプリケーションサーバの構成を示すブロック図である。
【図４】図１に示したアプリケーションサーバにおけるグループ作成時の動作を説明するフローチャートである。
【図５】図１に示したアプリケーションサーバにおける番組視聴時の動作を説明するフローチャートである。
【図６】図１に示した携帯端末におけるグループ作成時の動作を説明するフローチャートである。
【図７】図１に示した携帯端末における番組視聴時の動作を説明するフローチャートである。
【図８】図１に示した携帯端末における表示画面の一例を示す図である。
【図９】図１に示した携帯端末を外部のテレビ装置に接続した状態を示す図である。
【発明を実施するための形態】
【００１９】
以下に、本発明を実施するための形態について図面を参照して説明する。
【００２０】
まず、本実施形態の構成について、図１、図２、図３を参照して説明する。
【００２１】
図１に示すように、本実施形態のビューイングシステムは、複数の携帯端末１００と、アプリケーションサーバ２００と、を有している。なお、携帯端末１００とアプリケーションサーバ２００とは携帯用通信網３００を介して接続される。
【００２２】
図２に示すように、携帯端末１００は、制御部１０１と、アンテナ１０２と、操作部１０３と、番組受信部１０４と、表示部１０５と、表示制御部１０６と、グループ処理部１０７と、マイク１０８と、音声認識部１０９と、文字データ送受信部１１０と、外部出力部１１１と、を有している。なお、図２は本発明と関連する構成要素のみを抜粋して図示したものである。
【００２３】
制御部１０１は、自端末内の構成要素を制御して各種の処理を実行する。
【００２４】
アンテナ１０２は、自端末内の構成要素が各種のデータを送受信するためのアンテナである。
【００２５】
操作部１０３は、ユーザによる各種の操作が行われる。
【００２６】
番組受信部１０４は、ワンセグ放送の番組を受信する。
【００２７】
表示部１０５は、各種のデータを表示するＬＣＤ（Liquid Crystal Display）等である。
【００２８】
表示制御部１０６は、番組受信部１０４で受信された番組を表示部１０５の表示画面に表示する。
【００２９】
グループ処理部１０４は、自端末が属するグループのグループＩＤおよびパスワードを事前に取得する。
【００３０】
例えば、自端末が親端末（グループ作成者の携帯端末）である場合、グループに属することを希望する携帯端末１００の識別情報（電話番号等）を含むグループ作成要求をアプリケーションサーバ２００に送信し、これに対する応答としてアプリケーションサーバ２００から送信されてきたグループＩＤおよびパスワードを取得する。そして、取得したグループＩＤおよびパスワードを、グループに属する他の携帯端末に送信する。
【００３１】
一方、自端末が親端末でない場合、上述のように親端末からグループＩＤおよびパスワードが送信されてくるので、そのグループＩＤおよびパスワードを取得する。
【００３２】
また、グループ処理部１０４は、番組を視聴する際に、自端末の識別情報、グループＩＤおよびパスワードを含むグループ視聴要求をアプリケーションサーバ２００に送信し、アプリケーションサーバ２００と接続する。
【００３３】
マイク１０８は、表示画面への番組の表示中における自端末周辺の話者の音声を集音する。
【００３４】
音声認識部１０９は、マイク１０８で集音された話者の音声を音声認識して文字データに変換する。
【００３５】
文字データ送受信部１１０は、音声認識部１０９で変換された文字データをアプリケーションサーバ２００に送信する。また、アプリケーションサーバ２００からは、他の携帯端末１００からアプリケーションサーバ２００に送信された文字データを受信する。
【００３６】
表示制御部１０６は、表示画面への番組の表示中に、その表示画面に、アプリケーションサーバ２００から受信した文字データを併せて表示する。
【００３７】
外部出力部１１１は、表示画面の画面データを外部装置に出力する。
【００３８】
図３に示すように、アプリケーションサーバ２００は、制御部２０１と、アンテナ２０２と、グループ管理部２０３と、文字データ配信部２０４と、を有している。なお、図３は本発明と関連する構成要素のみを抜粋して図示したものである。
【００３９】
制御部２０１は、自サーバ内の構成要素を制御して各種の処理を実行する。
【００４０】
アンテナ２０２は、自サーバ内の構成要素が各種のデータを送受信するためのアンテナである。
【００４１】
グループ管理部２０３は、携帯端末１００からグループ作成要求を受信すると、グループＩＤおよびパスワードを発行してその携帯端末１００に対して送信し、また、そのグループについて、そのグループに属する携帯端末１００の識別情報、グループＩＤ、およびパスワードを登録し管理する。なお、この管理はグループごとに行う。
【００４２】
また、グループ管理部２０３は、携帯端末１００からグループ視聴要求を受信すると、グループ視聴要求に含まれる識別情報、グループＩＤ、およびパスワードを、事前に登録したものと照合し、問題がなければ、その携帯端末１００を自サーバと接続する。
【００４３】
文字データ配信部２０４は、携帯端末１００から文字データを受信すると、その文字データを、その携帯端末１００と同じグループに属する他の携帯端末１００に配信する。
【００４４】
以下、本実施形態の動作について説明する。
（１）アプリケーションサーバ２００の動作
（１−１）グループ作成時の動作
最初に、携帯端末１００がグループを作成する時の動作について、図４のフローチャートを参照して説明する。
【００４５】
図４に示すように、まず、携帯端末１００のうちの親端末（グループ作成者の携帯端末）から、グループに属することを希望する携帯端末１００の識別情報（電話番号等）を含むグループ作成要求を受信する（ステップＡ１）。
【００４６】
すると、グループ管理部２０３は、グループ作成要求に識別情報が含まれている携帯端末１００が属するグループを作成する（ステップＡ２）。
【００４７】
続いて、グループ管理部２０３は、上記で作成したグループのグループＩＤおよびパスワードを発行し（ステップＡ３）、発行したグループＩＤおよびパスワードを含む成功応答を親端末に送信する（ステップＡ４）。
【００４８】
その後、グループ管理部２０３は、上記で作成したグループについて、そのグループに属する携帯端末１００の識別情報、グループＩＤおよびパスワードを登録する（ステップＡ５）。
（１−２）番組視聴時の動作
次に、携帯端末１００がワンセグ放送の番組を視聴する時の動作について、図５のフローチャートを参照して説明する。
【００４９】
図５に示すように、まず、携帯端末１００から、識別情報（電話番号等）、グループＩＤおよびパスワードを含むグループ視聴要求を受信する（ステップＢ１）。
【００５０】
すると、グループ管理部２０３は、まず、グループ視聴要求に含まれる識別情報を、事前に登録したものと照合し、その携帯端末１００が属するグループを判定し、続いて、グループ視聴要求に含まれるグループＩＤおよびパスワードを、事前に登録したものと照合し、その携帯端末１００にアクセス権があるか否かを判定する（ステップＢ２）。
【００５１】
アクセス権がなければ（ステップＢ２のＮＯ）、グループ管理部２０３は、その携帯端末１００に対して失敗応答を送信するエラー処理を行い（ステップＢ３）、処理を終える。
【００５２】
一方、アクセス権があれば（ステップＢ２のＹＥＳ）、グループ管理部２０３は、その携帯端末１００に成功応答を送信し、自サーバと接続する（ステップＢ４）。接続に成功すれば、文字データ配信部２０４は、文字データの取得処理および配信処理の準備を行う。
【００５３】
準備が完了すると、以降、その携帯端末１００がワンセグ放送の番組の視聴を開始し、その携帯端末１００から、音声認識した文字データが随時送信されてくるので、文字データ配信部２０４は、その文字データを取得する（ステップＢ５）。
【００５４】
そして、文字データ配信部２０４は、携帯端末１００から取得した文字データを、その携帯端末１００と同じグループに属しかつ自サーバと接続中である他の携帯端末１００に配信する（ステップＢ６）。
【００５５】
以降、文字データ配信部２０４は、番組が終了するまで（ステップＢ７のＹＥＳ）、文字データの取得処理および配信処理を繰り返し行い、番組が終了したら、携帯端末１００から終了要求を受信するため、処理を終える。
（２）携帯端末１００の動作
（２−１）グループ作成時の動作
最初に、グループを作成する時の動作について、図６のフローチャートを参照して説明する。なお、図６は、携帯端末１００が親端末（グループ作成者の携帯端末）である場合の動作を示している。
【００５６】
図６に示すように、まず、ユーザは、グループに属することを希望する携帯端末１００の識別情報（電話番号等）を操作部１０３に入力し、グループ処理部１０４は、操作部１０３に入力された識別情報を含むグループ作成要求をアプリケーションサーバ２００に送信する（ステップＣ１）。
【００５７】
グループの作成に成功すると、アプリケーションサーバ２００から、グループＩＤおよびパスワードを含む成功応答が送信されてくるので、グループ処理部１０４は、成功応答に含まれるグループＩＤおよびパスワードを取得する（ステップＣ２）。
【００５８】
次に、グループ処理部１０４は、上記で取得したグループＩＤおよびパスワードを表示部１０５の表示画面に表示する等してユーザに通知する（ステップＣ３）。
【００５９】
その後、グループ処理部１０４は、上記で取得したグループＩＤおよびパスワードを、グループに属する他の携帯端末１００に送信する（ステップＣ４）。
【００６０】
なお、親端末でない携帯端末１００は、上述のように親端末からグループＩＤおよびパスワードが送信されてくるので、そのグループＩＤおよびパスワードを取得する。
（２−２）番組視聴時の動作
次に、ワンセグ放送の番組を視聴する時の動作について、図７のフローチャートを参照して説明する。
【００６１】
図７に示すように、まず、ユーザは、事前に通知されたグループＩＤおよびパスワードを操作部１０３に入力し、グループ処理部１０４は、自端末の識別情報（電話番号等）と操作部１０３に入力されたグループＩＤおよびパスワードとを含むグループ視聴要求をアプリケーションサーバ２００に送信する（ステップＤ１）。
【００６２】
アプリケーションサーバ２００から成功応答を受信すると（ステップＤ２）、アプリケーションサーバ２００への接続が完了したことになるため、制御部１０１は、自端末内の音声認識に係る機能（マイク１０８、音声認識部１０９および文字データ送受信部１１０）を起動させ、自端末周辺の話者の音声を自動的に文字データとして、アプリケーションサーバ２００に送信できるように準備を行う（ステップＤ３）。
【００６３】
携帯端末１００がワンセグ放送の番組の視聴を開始すると（ステップＤ４）、以降、マイク１０８は、自端末周辺の話者の音声を集音し、音声認識部１０９は、話者の音声を音声認識して文字データに変換する。
【００６４】
文字データ送受信部１１０は、音声認識部１０９で音声認識された文字データを取得すると（ステップＤ５のＹＥＳ）、取得した文字データをアプリケーションサーバ２００に送信する（ステップＤ６）。以降、番組が終了するまで（ステップＤ７のＹＥＳ）、音声認識された文字データの取得処理および送信処理を繰り返し行う。
【００６５】
また、これと並行して、アプリケーションサーバ２００からは、他の携帯端末１００からアプリケーションサーバ２００に送信された文字データが送信されてくるので、文字データ送受信部１１０は、その文字データを受信し（ステップＤ８のＹＥＳ）、表示制御部１０６は、番組を表示している表示画面に、アプリケーションサーバ２００から受信した文字データを併せて表示する（ステップＤ９）。なお、文字データは随時受信されるため、新たに受信した文字データは表示画面に上書きする形で表示を行う。以降、番組が終了するまで（ステップＤ７のＹＥＳ）、文字データの受信処理および表示処理を繰り返し行う。
【００６６】
番組が終了したら、グループ処理部１０４は、アプリケーションサーバ２００に終了要求を送信し（ステップＤ１０）、処理を終える。
【００６７】
図８に、ステップＤ９における表示画面の一例を示す。
【００６８】
図８の例では、サッカーの試合を表示している表示画面において、グループに属する他の携帯端末１００で音声認識された「頑張れ！○○」、「いけー」、「ニッポン、ニッポン！」といった文字データが併せて表示されている。
【００６９】
また、携帯端末１００では表示画面が小さく見づらいユーザのために、図９に示すように、携帯端末１００を外部出力部１１１からＨＤＭＩ（High-Definition Multimedia Interface）等にて外部のテレビ装置４００と接続し、図８のような表示画面の画面データをテレビ装置４００に出力して、テレビ装置４００の画面に表示することができる。
【００７０】
上述したように本実施形態においては、携帯端末１００は、ワンセグ放送の番組を視聴中に、マイクで集音した話者の音声を文字データに変換してアプリケーションサーバ２００に送信し、これと同時に、アプリケーションサーバ２００からは、他の携帯端末１００がアプリケーションサーバ２００に送信した文字データを受信し、番組を表示中の表示画面に、受信した文字データを併せて表示する。
【００７１】
したがって、携帯端末１００のユーザは、文字入力をすることなく、他ユーザとワンセグ放送の番組の内容について簡易的（擬似的）に共感することができるという効果が得られる。
【００７２】
また、本実施形態においては、アプリケーションサーバ２００は、グループに属する携帯端末１００を管理し、携帯端末１００から文字データを受信すると、その文字データを、その携帯端末１００と同じグループに属する他の携帯端末１００に配信する。
【００７３】
したがって、携帯端末１００のユーザは、仲間内だけでワンセグ放送の番組の内容について共感することができるという効果が得られる。
【００７４】
また、本実施形態においては、携帯端末１００は、表示画面の画面データを外部のテレビ装置等に外部出力することで、携帯端末１００のユーザは、上記の表示画面を大画面で視聴することができるという効果が得られる。
【００７５】
また、本実施形態においては、携帯端末１００とアプリケーションサーバ２００とを、携帯用通信網３００を介して接続しているため、携帯端末１００のユーザは、インターネット等に接続せずに、他ユーザとワンセグ放送の番組の内容について共感することができるという効果が得られる。
【符号の説明】
【００７６】
１００    携帯端末
１０１    制御部
１０２    アンテナ
１０３    操作部
１０４    番組受信部
１０５    表示部
１０６    表示制御部
１０７    グループ処理部
１０８    マイク
１０９    音声認識部
１１０    文字データ送受信部
１１１    外部出力部
２００    アプリケーションサーバ
２０１    制御部
２０２    アンテナ
２０３    グループ管理部
２０４    文字データ配信部
３００    携帯用通信網
４００    テレビ装置
【図１】
0005626878.tif 000002
【図２】
0005626878.tif 000003
【図３】
0005626878.tif 000004
【図４】
0005626878.tif 000005
【図５】
0005626878.tif 000006
【図６】
0005626878.tif 000007
【図７】
0005626878.tif 000008
【図８】
0005626878.tif 000009
【図９】
0005626878.tif 000010